(57)【要約】【課題】  不快グレア（ギラギラする様な不快な光のまぶしさ）を軽減して、睡眠時途中覚醒中の使用者が目を覚ましてしまうことを防止可能な照明付ベッドを提供すること。【解決手段】  ヘッドボード２の使用者頭部側に設置された導光板１１と、導光板１１の照明付ベッド１長手方向と直交する面に設置されたＬＥＤ１２と、導光板１１の使用者頭部側とは反対側に設置された反射板１３と、を備え、導光板１１の上端を仰臥位状態の使用者頭部の高さと同じか仰臥位状態の使用者頭部の高さよりも低く設定した、照明付ベッド１。【選択図】図１
2014010940.tif 000002
【特許請求の範囲】
【請求項１】
ヘッドボードの使用者頭部側に設置された導光板と、
前記導光板の照明付ベッド長手方向と直交する面に設置された光源と、
前記導光板の使用者頭部側とは反対側に設置された反射板と、を備え、
前記導光板の上端を仰臥位状態の使用者頭部の高さと同じか仰臥位状態の使用者頭部の高さよりも低く設定した、
照明付ベッド。
【請求項２】
前記光源は、前記導光板の前記照明付ベッドの幅方向に対応する面に設定される、
請求項１に記載の照明付ベッド。
【請求項３】
前記制御基板にて前記光源の明るさを変えることにより２種類以上の明るさで照明が可能な、
請求項１または２に記載の照明付ベッド。
【請求項４】
前記制御基板にて前記光源の色温度を変えることにより２種類以上の色温度で照明が可能な、
請求項１乃至３のいずれか１項に記載の照明付ベッド。
【請求項５】
請求項１乃至４のいずれか１項に記載の照明付ベッドであって、
前記導光板は複数の導光板であり、
前記複数の導光板の夫々の前記導光板には使用者頭部側の面に対し上下左右のいずれか１面以上に光源が設置され、
前記複数の導光板の夫々の前記導光板には導光板の使用者頭部側とは反対側に１個以上の反射板が設置されている、もの。
【発明の詳細な説明】
【技術分野】
【０００１】
本発明は、照明付きベッドに関するものである。
【背景技術】
【０００２】
従来、照明付きベッドに関する技術としては、例えば特許文献１に記載されたものが知られている。この照明付きベッドは、周囲に光を拡散させずに点灯させる為に、使用者の頭部位置後方のヘッドボードに照明器具を配設し、上端面を傾斜面とした細い棒状の導光板を幅方向に複数隣接配置した導光板を照明器具の上部に設けると共に、この導光板の傾斜面に反射板を当接させている。
【先行技術文献】
【特許文献】
【０００３】
【特許文献１】実開平４−１３８３５５号公報
【発明の概要】
【発明が解決しようとする課題】
【０００４】
しかしながら、特許文献１では、導光板上部から頭部側に放射される光の減衰を低くするために、導光板内での減衰を低く即ち表面放射を低くし、更に上端面の傾斜面に設けた反射板での反射率を大きくしている。しかし、この様にして得られた光は光源の直射光に近い為、不快グレア（ギラギラする様な不快な光のまぶしさ）が顕著にあらわれてしまう。また、導光板が複数の棒状であれば複数の点光源からの光放射に近い為、不均一な点光源が入り乱れて更に不快グレアを助長するおそれがある。これにより、睡眠時途中覚醒時などに照明を点灯すると、不快グレアによって睡眠時途中覚醒中の使用者が目を覚ましてしまい再入眠しにくくなるおそれがある。
【０００５】
そこで、本発明は、上記課題を解決するためになされたものであって、不快グレアを軽減して、睡眠時途中覚醒中の使用者が目を覚ましてしまうことを抑制可能な照明付ベッドを提供することにある。
【課題を解決するための手段】
【０００６】
上記課題を解決するために、本発明において講じた第１の課題解決手段は、ヘッドボードの使用者頭部側に設置された導光板と、前記導光板の照明付ベッド長手方向と直交する面に設置された光源と、前記導光板の使用者頭部側とは反対側に設置された反射板と、を備え、前記導光板の上端を仰臥位状態の使用者頭部の高さと同じか仰臥位状態の使用者頭部の高さよりも低く設定した、構成である。
【０００７】
また、本発明の第２の課題解決手段は、前記光源は、前記導光板の前記照明付ベッドの幅方向に対応する面に設定される、構成である。
【０００８】
また、本発明の第３の課題解決手段は、前記制御基板により前記光源の明るさを変えることにより２種類以上の明るさで照明が可能な、構成である。
【０００９】
また、本発明の第４の課題解決手段は、前記制御基板により前記光源の色温度を変えることにより２種類以上の色温度で照明が可能な、構成である。
【００１０】
また、本発明の第５の課題解決手段は、ヘッドボードの使用者頭部側に設置された複数の導光板と、前記複数の導光板の使用者頭部側の面に対し上下左右のいずれか１面以上に設置された光源と、前記複数の導光板の使用者頭部側とは反対側に夫々設置された複数の反射板と、を備える、構成である。
【発明の効果】
【００１１】
第１の課題解決手段によれば、本発明の照明付ベッドは、ヘッドボードの使用者頭部側に設置された導光板と、導光板の照明付ベッド長手方向と直交する面に設置された光源と、導光板の使用者頭部側とは反対側に設置された反射板と、を備え、導光板の上端を仰臥位状態の使用者頭部の高さと同じか仰臥位状態の使用者頭部の高さよりも低く設定した、構成である。これにより、本発明の照明付ベッドは、光源の直進光が直接目に入ることを防止して直進光による不快グレアを軽減し、睡眠時途中覚醒中の使用者が目を覚ましてしまうことを抑制出来る。更に、照明を頭上からの発光では無くヘッドボードからの面発光にすることで、就寝前の読書時に本へ影を作ることを予防して照度を必要以上に上げる必要がなくなる。加えて、不快グレアを低減した面発光である。これらの効果により、就寝前の読書を行ないやすく、読書時に入眠を妨げることを低減出来る。その上、天井からの光ではなくヘッドボードからの面発光にすることで、発光面から読書面までの距離を短くして、省エネにも有効である。これらの効果は、伏臥位での読書でも有効であるが、仰臥位での読書では特に有効である。これらの効果は、１人用の導光板が１個付いた照明付ベッドでも、２人用の導光板が１個付いた照明付ベッドでも、２人用の導光板が２個付いた照明付ベッドでも同様に得られる。
【００１２】
第２の課題解決手段によれば、本発明の照明付ベッドは、前記光源は、前記導光板の前記照明付ベッドの幅方向に対応する面に設定されている。これにより、本発明の照明付ベッドは、２人で寝ている際に睡眠時途中覚醒中または読書中の１人の使用者が照明を点灯させても、就寝中のもう１人に直進光または反射光を照射することを抑制し、就寝中のもう１人の睡眠を妨げることを抑制出来る。
【００１３】
第３の課題解決手段によれば、本発明の照明付ベッドは、光源の明るさを変えることにより２種類以上の明るさで照明が可能な構成である。これにより、本発明の照明付ベッドは、使用者の睡眠時途中覚醒中や就寝前読書中と云った照明の用途に応じて、過度の覚醒防止が可能な照明を提供することが出来る。
【００１４】
第４の課題解決手段によれば、本発明の照明付ベッドは、光源の色温度を変えることにより２種類以上の色温度で照明が可能な構成である。これにより、夜間の覚醒レベル上昇を抑制可能な低色温度の光や、視認性を向上可能な高色温度の照明を提供することが出来る。
【００１５】
第５の課題解決手段によれば、本発明の照明付ベッドは、ヘッドボードの使用者頭部側に設置された複数の導光板と、複数の導光板の使用者頭部側の面に対し上下左右のいずれか１面以上に設置された光源と、複数の導光板の使用者頭部側とは反対側に夫々設置された複数の反射板と、を備えている。これにより、２人で寝ている際に睡眠時途中覚醒中の使用者が照明を点灯させても、就寝中のもう１人に直進光または反射光を照射することを更に抑制し、就寝中のもう１人の睡眠を妨げることを更に抑制出来る。
【図面の簡単な説明】
【００１６】
【図１】照明付ベッドの側面図。
【図２】１人用の導光板が１個付いた照明付ベッドの上面図（ａ）と正面図（ｂ）。
【図３】２人用の導光板が１個付いた照明付ベッドの上面図（ａ）と正面図（ｂ）。
【図４】２人用の導光板が２個付いた照明付ベッドの上面図（ａ）と正面図（ｂ）。
【発明を実施するための形態】
【００１７】
以下、本発明を具体化した実施形態を図面に従って説明する。
【００１８】
（実施形態１）
図１は照明付ベッド１の側面図であり、図２は１人用の導光板１１が１個付いた照明付ベッド１の上面図（ａ）と正面図（ｂ）。である。照明付ベッド１のヘッドボード２には、使用者頭部と相対する面（照明付ベッド１の長手方向のうち足側方向の面）に透明度の高いアクリル樹脂製の導光板１１が埋め込まれている。導光板１１の表面は、ヘッドボード２の使用者頭部側表面と同一面か、またはヘッドボード２の使用者頭部側表面よりも凹んだ位置になる様に埋め込まれている。導光板１１の使用者頭部側の面に対する左右の面には、夫々電球色（色温度約３，０００Ｋ）のＬＥＤ１２（光源）が設置されている（図２参照）。ＬＥＤ１２の光を導光板１１の内部へ効率良く進入させる為、ＬＥＤ１２は、発光部全体が導光板１１の左右の面に丁度埋め込まれる様に設置されている。導光板１１に進入した光を導光板１１の内部で効率良く拡散させる為、ＬＥＤ１２は、反射板１３の図中左右方向へ、且つ反射板１３の反射面の方向（図中足側方向）の面へ反射板１３との挟角が０〜９０°となる様に、且つＬＥＤ１２の発光部全体が導光板１１の左右の面に丁度埋め込まれる様に設置されている。導光板１１の使用者頭部側とは反対側（図中頭側方向）になる面には、光の拡散性が高い白色塗料が塗布され、反射板１３を形成している。ＬＥＤ１２の反射光の拡散性能よりも反射率低下による省エネ性能の低下の防止を優先する場合には、反射板１３をＳＵＳ３０４と云った金属板に変更して、導光板１１の使用者頭部側とは反対側（図中頭側方向）になる面に密着させることも可能である。
【００１９】
導光板１１の上端高さは、マットレス３の上で仰臥位状態の使用者頭部の高さと同じかマットレス３の上で仰臥位状態の使用者頭部の高さよりも低く設定されている。ＬＥＤ１２を点灯するスイッチは、ＬＥＤ１２へ供給する電流値を調節するオン−オフ機能付きのボリューム１４である。ボリューム１４は、ヘッドボード２の使用者頭部側の面に対する右の面に設置されている。
【００２０】
なお、ここでは光源をＬＥＤ１２で説明したが、蛍光灯やネオン管と云った他の光源で代用することも可能である。光源の色は、電球色で説明したが、白光色や赤色、青色、緑色といった他の色調で代用または組み合わせることも可能である。ＬＥＤ１２は、ＬＥＤ１２の指向性の高い発光面が導光板１１の使用者頭部側の面に対する左右の面に当接されているだけでも良い。ボリューム１４は、押すことでヘッドボード２表面と略同一高さになったり、ヘッドボード２表面から突出するもので、ヘッドボード２の使用者頭部側の面に取り付けられることも可能である。ボリューム１４は、ヘッドボード２の使用者頭部側の面に対して左の面や使用者頭部側の面やヘッドボード上面に設置されることも可能である。
【００２１】
また、ボリューム１４と数種類の色調のＬＥＤ１２の組合せによってＬＥＤ１２の明るさまたは色温度を変えることにより、２種類以上の明るさまたは色温度で照明することも可能である。ボリューム１４とＬＥＤ１２の組合せによってＬＥＤ１２の明るさを変えることにより、２種類以上の色調で照明することも可能である。ボリューム１４と制御基盤１５を使用した電流制御、ＰＷＭ制御またはデューティ制御によってＬＥＤ１２の明るさまたは色調を変えることにより、２種類以上の明るさまたは色調で照明することも可能である。ボリューム１４の代わりにノーマルオープン（常時開接点）型のオン−オフスイッチを使用し、オン時間やオン回数によって順次、明るさや色調を変更調節することも可能である。
【００２２】
次に実施形態１の動作について説明する。
【００２３】
使用者が就寝中に睡眠時途中覚醒状態になった際、または使用者が就寝前に読書をする際、または起床時に覚醒度をあげたい際、起床前後に衣装の色合わせを照明付ベッド１の上で行ないたい際には、使用者はヘッドボード２右側のボリューム１４を手で操作してＬＥＤ１２をオンにしてＬＥＤ１２を好みの明るさや色調に調節する。この際、ボリューム１４の操作量を制御基板１５が検出し、制御基板１５がＬＥＤ１２への電流値をボリューム１４の操作量に応じて変更させる。ＬＥＤ１２の明るさは、ＬＥＤ１２への電流値に略比例して明るくなったり暗くなったりする。ＬＥＤ１２の発光により導光板１１の使用者頭部側の面に対する左右の面から導光板１１の内部に入った光は、導光板１１の表面で導光板１１の内部方向へ反射を繰り返して最終的に使用者頭部側の面の全体から図中照明付ベッド１足側方向へ照射される。導光板１１の内部に入った光は、導光板１１の内部で反射を繰り返して拡散されている為、導光板１１の使用者頭部側（足側方向）の面は、全体的に略均一の明るさで不快グレアが抑制され柔らかくかすんだ光（以下、おぼろ光と呼ぶ）として照射されることになる。更に、導光板１１のうち導光板１１の板厚面よりも広い面積を有する、使用者頭部側とは反対側になる（頭側方向）面には反射板１３が設置されている為、導光板１１の内部に入った光は効率良く使用者頭部側の面から図中照明付ベッド１足側方向へ照射される。
【００２４】
例えば使用者が就寝中に睡眠時途中覚醒状態になった際には、使用者は、ヘッドボード２右側のボリューム１４を手で操作して導光板１１の使用者頭部側の面から照射される光の色調を覚醒度を効率良く抑制する２，５００Ｋに調節する。使用者が就寝前に読書をする際には、同様の操作で覚醒度を抑えつつ視認性を向上させる３，０００Ｋに調節する。使用者が起床する際には、同様の操作で覚醒度を効率良く向上させる７，０００Ｋに調節する。使用者が衣装の色合わせを行なう際には、同様の操作で色の再現性の良い５，０００Ｋ（太陽光色）に調節する。更に、ヘッドボード周辺の雰囲気を変えるイルミネーションとして使用する際には、赤色、青色、緑色といった他の色調を強調することも可能である。
【００２５】
照明の必要が無くなった際には、使用者はヘッドボード２右側のボリューム１４を手で操作して消灯（オフ）位置にする。この際、ボリューム１４がオフ位置になったことを制御基板１５が検出し、制御基板１５がＬＥＤ１２への電流値をゼロにさせる。ＬＥＤ１２への電流値がゼロになることで、ＬＥＤ１２は消灯し、電流を消費しない状態になる。
【００２６】
次に実施形態１の作用について説明する。
【００２７】
第１の課題解決手段によれば、本発明の照明付ベッド１は、ヘッドボード２の使用者頭部側に設置された導光板１１と、照明付ベッド１長手方向と直交する面に設置されたＬＥＤ１２と、導光板１１の使用者頭部側とは反対側に設置された反射板１３と、を備え、導光板１１の上端を仰臥位状態の使用者頭部の高さと同じか仰臥位状態の使用者頭部の高さよりも低く設定している。これにより、本発明の照明付ベッド１は、ＬＥＤ１２の直進光が直接目に入ることを防止して直進光による不快グレアを軽減し、便意などによる睡眠時途中覚醒中の使用者が目を覚ましてしまうことを抑制出来る。更に、照明を頭上からの発光では無くヘッドボード２からの面発光にすることで、就寝前の読書時に本へ影を作ることを予防して照度を必要以上に上げる必要がなくなる。加えて、不快グレアを低減した面発光である。これらの効果により、就寝前の読書を行ないやすく、読書時に入眠を妨げることを低減出来る。その上、天井やデスクスタンドからの光ではなくヘッドボード２からの面発光にすることで、発光面から読書面までの距離を短かくして、省エネにも有効である。おまけに、天井やデスクスタンドの様に照明付ベッド１より高い位置に配置される照明によって不要に部屋全体を明るくすることを防止して、省エネを図ると共に部屋全体をやわらかい雰囲気にすることも可能である。これらの効果は、伏臥位での読書でも有効であるが、仰臥位での読書では特に有効である。
【００２８】
第２の課題解決手段による作用は、実施形態３で説明する。
【００２９】
第３の課題解決手段によれば、本発明の照明付ベッド１は、ＬＥＤ１２の明るさを変えることにより２種類以上の明るさで照明が可能な構成である。これにより、本発明の照明付ベッド１は、使用者の睡眠時途中覚醒中は２，５００Ｋ、就寝前読書中は３，０００Ｋ、起床後の覚醒中は７，０００Ｋ、起床後の衣装の色合わせは５，０００Ｋ、と云った様に照明の用途に応じておぼろ光の明るさと色調を調節することが出来る。即ち、過度の覚醒防止、視認性の向上、覚醒度の向上、色の再現性向上、を選択可能な照明付ベッド１を提供することが出来る。
【００３０】
第４の課題解決手段によれば、本発明の照明付ベッド１は、ＬＥＤ１２の色温度を変えることにより２種類以上の色温度で照明が可能な構成である。これにより、夜間の覚醒レベル上昇を更に抑制可能な低色温度または暗めの色調の光や、視認性または覚醒度を更に向上可能な高色温度または刺激的な色の照明や、色盲の人が見易い色調の照明、を提供することが出来る。
【００３１】
第５の課題解決手段による作用は、実施形態３で説明する。
【００３２】
（実施形態２）
図３は２人用の導光板１１が１個付いた照明付ベッド１の上面図（ａ）と正面図（ｂ）である。実施形態２は、実施形態１に対して照明付ベッド１の左右方向の幅が１人用（約１００ｃｍ）から２人用（約１４０ｃｍ）に変更になったものである。実施形態２の構成は、左右方向の幅が異なること以外は、実施形態１と同じである。
【００３３】
実施形態２の動作は、実施形態１と同じである。
【００３４】
第１の課題解決手段による実施形態２の作用は、以下の内容を除き実施形態１と同じである。
【００３５】
照明付ベッド１の左右方向の幅を１４０ｃｍ以上のダブルサイズ、クイーンサイズ（約１７０ｃｍ）やキングサイズ（約２００ｃｍ）にする際などには、ＬＥＤ１２を使用した実施形態２の方が蛍光管を使用した背景技術よりも対応し易く、コストも低減し易い。これは、１４０ｃｍ以上の幅に対応する長い蛍光管は、市販では入手し難く特注になり易いことと、輸送時や使用現場での組み付け時や長い蛍光管の交換時に取り扱い難いことなどに起因する。
【００３６】
（実施形態３）
図４は２人用の導光板１１が２個付いた照明付ベッド１の上面図（ａ）と正面図（ｂ）である。実施形態３は、実施形態２に対して導光板１１の数とボリューム１４の数が１個から２個に増え、２個の導光板１１の間に反射板１３を設けたものである。導光板１１の数とボリューム１４の数と、２個の導光板１１の間に設けた反射板１３以外については、実施形態１と同じ構成である。
【００３７】
次に実施形態３の動作について説明する。
【００３８】
照明付ベッド１の図中左側で就寝中の使用者が便意等によって睡眠時途中覚醒状態になった際、使用者はヘッドボード２左側のボリューム１４を手で操作して図中左側の導光板１１に内蔵されたＬＥＤ１２のみを好みの明るさや色調に調節しながらオン（点灯）させる。この際、ボリューム１４の操作量を制御基板１５が検出し、制御基板１５がＬＥＤ１２への電流値をボリューム１４の操作量に応じて変更させる。ＬＥＤ１２の明るさは、ＬＥＤ１２への電流値に略比例して明るくなったり暗くなったりする。ＬＥＤ１２の発光により導光板１１の使用者頭部側の面に対する左右の面から導光板１１の内部に入った光は、導光板１１の表面で導光板１１の内部方向へ反射を繰り返して最終的に使用者頭部側の面の全体から図中照明付ベッド１足側方向へ照射される。導光板１１の内部に入った光は、導光板１１の内部で反射を繰り返して拡散されている為、導光板１１の使用者頭部側の面は、全体的におぼろ光として照射されることになる。更に、導光板１１のうち導光板１１の板厚面よりも広い面積を有する、使用者頭部側とは反対側になる面には反射板１３が設置されている為、導光板１１の内部に入った光は効率良く使用者頭部側の面から図中照明付ベッド１の左半分の足側方向へ照射される。
【００３９】
この際、図中右側の導光板１１に内蔵されたＬＥＤ１２は点灯せず、図中照明付ベッド１の右半分の足側方向へはＬＥＤ１２の光が照射されない。
【００４０】
次に実施形態３の作用について説明する。
【００４１】
第１，第３，第４の課題解決手段による実施形態３の作用は、実施形態１と同じである。従って、実施形態１では得られない第２、第５の各課題解決手段による実施形態３の作用について、以下、説明する。
【００４２】
第２の課題解決手段によれば、本発明の照明付ベッド１は、ＬＥＤ１２を導光板１１の照明付ベッド１の幅方向の面に設定されている。これにより、本発明の照明付ベッド１は、２人で寝ている際に睡眠時途中覚醒中または読書中の１人の使用者がＬＥＤ１２を点灯させても、就寝中のもう１人に直進光または反射光を照射することを抑制し、就寝中のもう１人の睡眠を妨げることを抑制出来る。
【００４３】
第５の課題解決手段によれば、本発明の照明付ベッド１は、ヘッドボード２の使用者頭部側の面に設置された複数の導光板１１と、複数の導光板１１の使用者頭部側の面に対し上下左右のいずれか１面以上に設置されたＬＥＤ１２と、複数の導光板１１の使用者頭部側とは反対側に夫々設置された複数の反射板１３と、を備えている。これにより、本発明の照明付ベッド１は、ＬＥＤ１２の直進光または反射光が大量に直接使用者の目に入ることを防止して直進光または反射光による不快グレアを軽減し、便意などによる睡眠時途中覚醒中の使用者が目を覚ましてしまうことを抑制出来る。更に、２人で寝ている際に睡眠時途中覚醒中の使用者がＬＥＤ１２を点灯させても、就寝中のもう１人に直進光または反射光を照射することを抑制し、就寝中のもう１人の睡眠を妨げることを更に抑制出来る。
【００４４】
（付記項１）
本発明による本実施形態の照明付ベッド１は、導光板１１の使用者頭部側表面が擦りガラス状に加工されているものである。
【００４５】
これにより、不快グレアを更に軽減して、便意等によって睡眠時途中覚醒中の使用者が目を覚ましてしまうことを更に抑制することが出来る。
【００４６】
（付記項２）
本発明による本実施形態の照明付ベッド１は、導光板１１の照明付ベッド１の幅方向の面に反射板１３を有するものである。
【００４７】
これにより、不快グレアを更に軽減して、導光板１１の照明付ベッド１の幅方向の面からの光照射を抑制し、更に照明の効率化と省エネ化を高めることが出来る。
【００４８】
（付記項３）
本発明による本実施形態の照明付ベッド１は、光源を各導光板１１の照明付ベッド１の幅方向の面または照明付ベッド１の上下方向の面に対で設置しているものである。
【００４９】
これにより、照明付ベッド１の幅方向の面または照明付ベッド１の上下方向の面のＬＥＤ１２の相乗効果（加法性）によって照明付ベッド１の幅方向の面または照明付ベッド１の上下方向の面のＬＥＤ１２の電力の和を１つのＬＥＤ１２の電力よりも低下させて省エネ化を図ることが可能になる。更に、照明付ベッド１の幅方向の面または照明付ベッド１の上下方向の面のＬＥＤ１２の明るさまたは色調を夫々変更することで、その時々の気分または壁や本棚の配置と云った部屋の状況に合わせた様々な照明効果を創出することも可能である。
【００５０】
（付記項４）
本発明による本実施形態の照明付ベッド１は、ＬＥＤ１２を各導光板１１の照明付ベッド１の幅方向の面に対で設置しているものである。
【００５１】
これにより、各導光板１１の表面摩耗や光源自体の明るさ低下や使用者の意外時のＬＥＤ１２の明るさ低下設定によって、各導光板１１の使用者頭部側表面全面への光分散性が悪化した場合でも、使用者の顔を均一に照らし出して、使用者の表情を暗く損ねることを抑制出来る。即ち、人の顔は、顔の表面から一番高い部位となる鼻を中心にして、上下には眼窩や唇下といった凹部があるが、左右にはこの様な凹部が無い。これにより、読書中の使用者やうつ伏せから起き上がった使用者の顔には、光源を各導光板１１の上下に設定した場合には陰影が出来るが、ＬＥＤ１２を各導光板１１の上下に設定した場合には陰影が出来ず使用者の顔を美しいまま見せることが可能になる。
【００５２】
（付記項５）
本発明による本実施形態の照明付ベッド１は、光源が赤・青・緑と云った２つ以上のＬＥＤチップを１つのＬＥＤ１２に入れたものである。
【００５３】
これにより、ＬＥＤ１２付近の色むらを抑制して、意匠性をより高めて高級感を創出すると共に、色違いによる不快グレアを軽減して、便意等によって睡眠時途中覚醒中の使用者が目を覚ましてしまうことを更に抑制することが出来る。更に、ＬＥＤ１２に必要な空間を小さくして、照明付ベッド１を小型化することも可能である。
【００５４】
（付記項６）
本発明による本実施形態の照明付ベッド１は、導光板１１の使用者頭部側表面がヘッドボード２の使用者頭部側表面と同一面かまたはヘッドボード２の使用者頭部側表面よりも凹んだ位置に設置されるものである。
【００５５】
これにより、導光板１１の使用者頭部側表面の上下左右の面からＬＥＤ１２からの使用者頭部側表面の上下左右の面への直進光が不快グレアとして漏洩することを予防することが出来る。更に、就寝時に使用者が導光板１１の端部へ頭部を衝突させて不快感を感じさせるおそれを低減することも出来る。
【符号の説明】
【００５６】
１  照明付ベッド
２  ヘッドボード
１１  導光板
１２  光源（ＬＥＤ）
１３  反射板
１４  ボリューム（スイッチ）
１５  制御基板
【図１】
2014010940.tif 000003
【図２】
2014010940.tif 000004
【図３】
2014010940.tif 000005
【図４】
2014010940.tif 000006